(57)【要約】【課題】ユーザ間でやり取りされる情報をできるだけ簡単にユーザに認知させること。【解決手段】態様の１つに係る電子機器は、通信部と、コントローラとを備え、テレビジョン信号に基づいて映像を表示するテレビジョン装置に接続される。前記コントローラは、前記通信部が、外部機器が自機に向けて送信した第１データを受信すると、当該第１データに基づくテキスト情報を、前記テレビジョン装置の映像にオーバーレイして表示させる。【選択図】図４
2019126009.tif 000002
【特許請求の範囲】
【請求項１】
通信部と、コントローラとを備え、
テレビジョン信号に基づいて映像を表示するテレビジョン装置に接続され、
前記コントローラは、
前記通信部が、外部機器が自機に向けて送信した第１データを受信すると、当該第１データに基づくテキスト情報を、前記テレビジョン装置の映像にオーバーレイして表示させる
電子機器。
【請求項２】
前記外部機器は携帯端末であり、
前記コントローラは、
当該携帯端末から前記第１データとしてメッセージを受信すると、当該メッセージの内容を示す前記テキスト情報を、前記映像にオーバーレイして表示させる
請求項１に記載の電子機器。
【請求項３】
前記コントローラは、
前記外部機器が所定の条件を満たすと、前記外部機器から前記第１データを受信し、前記第１データに基づく前記テキスト情報を、前記映像にオーバーレイして表示させる
請求項１に記載の電子機器。
【請求項４】
前記外部機器は携帯端末であり、
前記コントローラは、
前記携帯端末が所定の位置から離れるかまたは所定の位置に近づくと、前記携帯端末からその旨を示す前記第１データを受信し、前記第１データに基づく前記テキスト情報を、前記映像にオーバーレイして表示させる
請求項３に記載の電子機器。
【請求項５】
画像を撮像するカメラをさらに備え、
前記コントローラは、
前記外部機器から第１データを受信すると、前記カメラの撮像画像に基づいて自機から所定の距離または所定の範囲内にユーザが存在するか否かを判定し、
自機から所定の距離または所定の範囲内に人が存在すると判定すると、
前記第１データに基づくテキスト情報を前記映像にオーバーレイ表示させる
請求項１から３のいずれか一項に記載の電子機器。
【請求項６】
カメラと記憶部とをさらに備え、
前記コントローラは、
前記カメラの撮像画像に基づいて、自機から所定の距離または所定の範囲内に存在するユーザの数を検出し、
前記ユーザの数が１人である場合に、前記撮像画像に基づいて当該ユーザの視線方向を検出し、
前記視線方向と、前記記憶部に記憶された前記テレビジョン装置と自機との位置関係に関する情報とに基づいて、テレビジョン装置の表示領域上のユーザの視点位置を検出し、
前記視点位置に応じて、前記映像上における前記テキスト情報をオーバーレイ表示させる位置を変更する、
請求項１から４のいずれか一項に記載の電子機器。
【請求項７】
前記コントローラは、
所定の条件が満たされると、前記テキスト情報が表示される前記映像上の領域よりも小さな前記映像上の領域に、前記テキスト情報の存在を示す情報をオーバーレイして表示させる
請求項１から６のいずれか一項に記載の電子機器。
【請求項８】
前記コントローラは、
所定の条件が満たされると、前記第１映像にオーバーレイ表示された前記テキスト情報を非表示にする
請求項１から７のいずれか一項に記載の電子機器。
【請求項９】
遠隔操作機器とさらに接続され、
前記コントローラは、
当該遠隔操作機器が操作されると、当該操作に対応する第２データを受信し、
当該第２データを受信すると、当該第２データまたは当該第２データに対応するデータを前記外部機器に送信するとともに、当該第２データに基づく情報を前記映像にオーバーレイして表示させる
請求項１から７のいずれか一項に記載の電子機器。
【請求項１０】
テレビジョン信号を受信する受信部と、前記テレビジョン信号に基づいて映像を表示する表示部とを備えるテレビジョン装置において、
自機に接続された電子機器が、当該電子機器とは異なる外部機器が当該電子機器に向けて送信したデータを受信すると、前記データに基づく情報を前記映像にオーバーレイして表示するテレビジョン装置。
【請求項１１】
テレビジョン信号を受信する受信部と、前記テレビジョン信号に基づいて映像を表示する表示部と、外部機器と通信する通信部とを備えるテレビジョン装置において、
前記通信部が、外部機器が自機に向けて送信したデータを受信すると、前記データに基づく情報を前記映像にオーバーレイして表示するテレビジョン装置。
【請求項１２】
電子機器が実行する制御方法であって、
テレビジョン信号に基づいて映像を表示するテレビジョン装置に接続され、
前記テレビジョン装置に接続されている時に外部機器が自機に向けて送信したデータを受信し、
前記データを受信すると、前記データに基づく情報を、前記テレビジョン装置が表示する前記映像にオーバーレイして表示させる
制御方法。
【発明の詳細な説明】
【技術分野】
【０００１】
本出願は、電子機器、テレビジョン装置及び制御方法に関する。
【背景技術】
【０００２】
従来、ＴＶディスプレイと、地上波デジタル放送を受信するＴＶ放送受信部と、受信した地上波デジタル放送をＴＶディスプレイに表示するＴＶ放送表示部と、携帯通信端末からのＷｅｂ情報を受信するＴＶ無線通信部と、受信したＷｅｂ情報によって特定されるＷｅｂコンテンツをＴＶディスプレイに表示するＷｅｂ表示部と、を備えることを特徴とするテレビジョン装置が開示されている。
【先行技術文献】
【特許文献】
【０００３】
【特許文献１】特開２００９−２９０３９５号公報
【発明の概要】
【発明が解決しようとする課題】
【０００４】
ユーザ間でやり取りされる情報をできるだけ簡単にユーザに認知させたい場合がある。
【課題を解決するための手段】
【０００５】
態様の１つに係る電子機器は、通信部と、コントローラとを備え、テレビジョン信号に基づいて第１映像を表示するテレビジョン装置に接続される。前記コントローラは、前記通信部が、外部機器が自機に向けて送信した第１データを受信すると、当該第１データに基づくテキスト情報を、前記テレビジョン装置の前記第１映像にオーバーレイして表示させる。
【０００６】
態様の１つに係るテレビジョン装置は、テレビジョン信号を受信する受信部と、前記テレビジョン信号に基づいて映像を表示する表示部とを備える。該テレビジョン装置は、自機に接続された電子機器が、当該電子機器とは異なる外部機器が当該電子機器に向けて送信したデータを受信すると、前記データに基づく情報を前記映像にオーバーレイして表示する。
【０００７】
態様の１つに係るテレビジョン装置は、テレビジョン信号を受信する受信部と、前記テレビジョン信号に基づいて映像を表示する表示部と、外部機器と通信する通信部とを備える。該テレビジョン装置は、前記通信部が、外部機器が自機に向けて送信したデータを受信すると、前記データに基づく情報を前記映像にオーバーレイして表示する。
【０００８】
態様の１つに係る制御方法は、テレビジョン信号に基づいて映像を表示するテレビジョン装置に接続される電子機器に、前記テレビジョン装置に接続されている時に外部機器が自機に向けて送信したデータを受信し、前記データを受信すると、前記データに基づく情報を、前記テレビジョン装置が表示する前記映像にオーバーレイして表示させる方法を実行させる。
【図面の簡単な説明】
【０００９】
【図１】図１は、実施形態に係る全体構成の一例を示す図である。
【図２】図２は、実施形態に係る電子機器とテレビジョン装置の位置関係を示す図である。
【図３】図３は、実施形態に係る電子機器の外観構成の一例を示す図である。
【図４】図４は、実施形態に係る電子機器の機能構成の一例を示すブロック図である。
【図５】図５は、実施形態に係る電子機器及びテレビジョン装置の処理の流れを示す図である。
【図６】図６は、実施形態に係る電子機器及びテレビジョン装置の処理の流れを示す図である。
【図７】図７は、実施形態に係る電子機器の処理の流れを示す図である。
【図８】図８は、図５及び図６に対応する処理の概要を示す図である。
【図９】図９は、図５に対応する処理の概要を示す図である。
【図１０】図１０は、図７に示す処理の概要を示す図である。
【図１１】図１１は、実施形態に係る電子機器の機能構成の他の例を示すブロック図である。
【図１２】図１２は、実施形態に係る電子機器及びテレビジョン装置により実行される処理の他の例を示す図である。
【図１３】図１３は、実施形態に係る通知領域の表示位置の他の例を示す図である。
【図１４】図１４は、実施形態に係る通知領域の表示位置の他の例を示す図である。
【図１５】図１５は、実施形態に係る通知領域の表示位置の他の例を示す図である。
【図１６】図１６は、実施形態に係る通知領域の表示位置の他の例を示す図である。
【図１７】図１７は、実施形態に係る表示方法の他の例を示す図である。
【図１８】図１８は、実施形態に係るテレビジョン装置の機能構成の一例を示すブロック図である。
【図１９】図１９は、実施形態に係るテレビジョン装置の処理の流れを示す図である。
【発明を実施するための形態】
【００１０】
本出願に係る実施形態を、図面を参照しつつ詳細に説明する。以下の説明において、同様の構成要素について同一の符号を付すことがある。さらに、重複する説明は省略することがある。
【００１１】
図１は、実施形態に係る全体構成の一例を示す図である。図２は、実施形態に係る電子機器とテレビジョン装置の位置関係を示す図である。図３は、実施形態に係る電子機器の外観構成の一例を示す図である。
【００１２】
図１に示すように、実施形態に係る電子機器１０と、実施形態に係るテレビジョン装置２０と、実施形態に係る携帯端末３０Ａ及び３０Ｂとは、それぞれ、ネットワーク１を介して通信可能に接続される。ネットワーク１は、公衆回線網、放送網、及びインターネットを含む。
【００１３】
電子機器１０は、ネットワーク１を介して、テレビジョン装置２０と通信できる。図２に示すように、電子機器１０は、操作部１０Ａ及び本体ユニット１０Ｂを含んで構成される。操作部１０Ａは、ユーザの操作を受け付ける。本体ユニット１０Ｂは、カメラ１１９及び発光部１２１を備える。本体ユニット１０Ｂは、例えば、ケーブル１１により、テレビジョン装置２０と接続される。電子機器１０は、地上デジタル放送などの放送信号（以下、「テレビジョン信号」と適宜記載する）を受信して処理する機能部を有し、テレビジョン信号を受信して、テレビジョン装置２０に送信できる。
【００１４】
図３に示すように、操作部１０Ａは、本体ユニット１０Ｂから物理的に分離されているが、図２に示すように、本体ユニット１０Ｂの上に重ねて静置することできる。以下では、電子機器１０が、操作部１０Ａ及び本体ユニット１０Ｂによって機能的及び物理的に分散されている例を説明するが、機能的及び物理的に統合されていてもよい。操作部１０Ａは、制御信号を発信できる。本体ユニット１０Ｂは、操作部１０Ａから発信された制御信号を受信できる。操作部１０Ａは、例えば、本体ユニット１０Ｂとの間の非接触充電によって電力の供給を受けることができる。
【００１５】
電子機器１０は、ネットワークを介して、携帯端末３０Ａ及び３０Ｂと通信できる。電子機器１０は、所定のアプリケーションをコミュニケーションツールとして利用することにより、携帯端末３０Ａ及び３０Ｂとの間で、種々の情報のやり取りを行うことができる。
【００１６】
テレビジョン装置２０は、ネットワーク１を介して、電子機器１０と通信できる。テレビジョン装置２０は、例えば、例えば、ケーブル１１により、電子機器１０の本体ユニット１０Ｂと接続される。テレビジョン装置２０は、電子機器１０から取得されるテレビジョン信号を用いて、地上波デジタル放送を表示できる。テレビジョン装置２０は、「テレビジョン装置」の一例である。
【００１７】
携帯端末３０Ａ及び３０Ｂは、例えば、スマートフォン、携帯電話、ＰＨＳなどの通信端末である。携帯端末３０Ａ及び３０Ｂは、所定のアプリケーションをコミュニケーションツールとして利用することにより、電子機器１０との間で種々の情報のやり取りを行うことができる。携帯端末３０Ａ及び３０Ｂは、「外部機器」及び「携帯端末」の一例である。
【００１８】
実施形態において、電子機器１０は、携帯端末３０Ａ及び３０Ｂとの間でやり取りする情報を、テレビジョン装置２０に表示される映像上にオーバーレイ表示させることによって、電子機器１０のユーザと、携帯端末３０Ａ及び３０Ｂのユーザとの間で、テレビジョン装置２０を介したインタラクティブな情報のやり取りを実現し、より円滑なコミュニケーション環境を提供することを目的とする。一例としては、例えば、電子機器１０が自宅内に設置され、携帯端末３０Ａ及び３０Ｂのユーザである両親と、自宅内にいる子供との間で、携帯端末３０Ａ及び３０Ｂ、並びに電子機器１０において動作するコミュニケーションツールを介したやり取りが行われる場合が想定される。以下、電子機器１０の具体的な機能について説明する。
【００１９】
図４は、実施形態に係る電子機器の機能構成の一例を示すブロック図である。以下の説明において、実施形態に係る電子機器１０、あるいはテレビジョン装置２０を「自機」と表記する場合がある。実施形態に係る電子機器１０のユーザ、並びに携帯端末３０Ａ及び３０Ｂのユーザを単に「ユーザ」と表記する場合がある。図４は、実施形態に係る電子機器１０の機能構成を説明する上で必要と認める機能部について図示する。
【００２０】
図４に示すように、電子機器１０の操作部１０Ａは、操作部１０Ａは、充電モジュール１０１と、タッチスクリーンディスプレイ１０３と、通信ユニット１０５と、ストレージ１０７と、コントローラ１０９とを有する。操作部１０Ａは、「遠隔操作装置」の一例である。
【００２１】
充電モジュール１０１は、本体ユニット１０Ｂとの間で実行される非接触充電により、本体ユニット１０Ｂから送られる電力を電池（図示せず）に供給できる。非接触充電の方式は、電磁誘導式、電波受信方式、共鳴方式などの任意の方式でよい。
【００２２】
タッチスクリーンディスプレイ１０３は、ディスプレイと、タッチスクリーンとを有する。ディスプレイは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。
【００２３】
実施形態においてディスプレイは、コミュニケーションツールを利用するユーザ間で共有される通知領域上に、電子機器１０のユーザが任意に選択する画像を表示できる。
【００２４】
タッチスクリーンは、タッチスクリーンに対する指等の接触又は近接を検出する。タッチスクリーンは、複数の指等がタッチスクリーンに接触又は近接したときのタッチスクリーン上の位置を検出することができる。以下の説明において、タッチスクリーンが検出する複数の指等がタッチスクリーンに接触又は近接した位置を「検出位置」と表記する。タッチスクリーンは、タッチスクリーンに対する指の接触又は近接を、検出位置とともにコントローラ１０９に通知する。タッチスクリーンは、検出位置の通知をもって接触又は近接の検出をコントローラ１０９に通知してよい。タッチスクリーンが行える動作を、タッチスクリーンを有するタッチスクリーンディスプレイ１０３は実行できる。言い換えると、タッチスクリーンが行う動作は、タッチスクリーンディスプレイ１０３が行ってもよい。
【００２５】
コントローラ１０９は、タッチスクリーンにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０９が行える動作を、コントローラ１０９を有する電子機器１０は実行できる。言い換えると、コントローラ１０９が行う動作は、電子機器１０が行ってもよい。ジェスチャは、指を用いて、タッチスクリーンディスプレイ１０３に対して行われる操作である。タッチスクリーンに対して行われる操作は、タッチスクリーンを有するタッチスクリーンディスプレイ１０３により行われてもよい。コントローラ１０９が、タッチスクリーンを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００２６】
コントローラ１０９は、タッチスクリーンを介して判別するこれらのジェスチャに従って動作を行う。このため、ユーザにとって直感的で使いやすい操作性が実現される。判別されるジェスチャに従ってコントローラ１０９が行う動作は、ディスプレイに表示されている画面に応じて異なることがある。
【００２７】
タッチスクリーンの検出方式は、静電容量方式、抵抗膜方式、表面弾性波方式、赤外線方式、及び荷重検出方式等の任意の方式でよい。
【００２８】
実施形態において、コントローラ１０９は、例えば、タッチスクリーンにより検出される接触位置、あるいはタッチスクリーンを介して判別するこれらのジェスチャに基づいて、ディスプレイに表示されている画像の切換、選択、送信などの処理を実行できる。
【００２９】
通信ユニット１０５は、無線により通信する。実施形態において、通信ユニット１０５は、画像の送信を指示する信号を発信する。通信ユニット１０５が使用する無線の通信方式は、赤外線方式、及びＲＦ（Ｒａｄｉｏ  Ｆｒｅｑｕｅｎｃｙ）方式などの任意の方式でよい。
【００３０】
ストレージ１０７は、プログラム及びデータを記憶する。ストレージ１０７は、コントローラ１０９の処理結果を一時的に記憶する作業領域として利用されてもよい。ストレージ１０７は、半導体記憶媒体、及び磁気記憶媒体等の任意の非一過的（ｎｏｎ−ｔｒａｎｓｉｔｏｒｙ）な記憶媒体を含んでよい。ストレージ１０７は、複数の種類の記憶媒体を含んでよい。ストレージ１０７は、メモリカード、光ディスク、又は光磁気ディスク等の記憶媒体と、記憶媒体の読み取り装置との組み合わせを含んでよい。ストレージ１０７は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３１】
ストレージ１０７に記憶されるプログラムには、フォアグランド又はバックグランドで実行されるアプリケーションと、アプリケーションの動作を支援する支援プログラム（図示略）とが含まれる。支援プログラムには、例えば、ＯＳ（Ｏｐｅｒａｔｉｎｇ  Ｓｙｓｔｅｍ）が含まれる。プログラムは、通信ユニット６による無線通信又は非一過的な記憶媒体を介してストレージ１０７にインストールされてもよい。
【００３２】
ストレージ１０７は、制御プログラム１０７ａ、及び画像データ１０７ｂなどを記憶できる。
【００３３】
制御プログラム１０７ａは、操作部１０Ａの各種動作に関する処理を実現するための機能をそれぞれ提供できる。制御プログラム１０７ａが提供する機能は、充電モジュール１０１との間で非接触充電の処理を実行するための機能を含む。制御プログラム１０７ａが提供する機能は、コミュニケーションツールで使用する画像をタッチスクリーンディスプレイ１０３に表示させるための機能を含む。制御プログラム１０７ａが提供する機能は、タッチスクリーンディスプレイ１０３を介して判別したジェスチャに応じて、タッチスクリーンディスプレイ１０３に表示されている情報を変更する等の各種制御を行う機能を含む。例えば、各種制御は、タッチスクリーンディスプレイ１０３を介して、タッチスクリーンディスプレイ１０３に表示されている画像の切換要求、選択、及び送信指示などをユーザから受け付けることを含む。制御プログラム１０７ａが提供する機能は、タッチスクリーンディスプレイ１０３で選択された画像の送信指示を発信するための機能を含む。制御プログラム１０７ａが提供する機能は、タッチスクリーンディスプレイ１０３で選択されたオーバーレイ表示の終了指示を発信するための機能を含む。
【００３４】
画像データ１０７ｂは、電子機器１０のユーザが、後述する家族アプリケーション１２７ｂを介して、携帯端末３０Ａ及び３０Ｂのユーザとの間でコミュニケーションを図るために利用される画像データである。画像データ１０７ｂは、例えば、後述する本体ユニット１０Ｂにおいてオーバーレイ表示に利用される画像データをそのまま縮小した縮小データ、オーバーレイ表示に利用される画像データに対応するテンプレートデータ、或いはサムネイルのような簡易データで構成することもできる。画像データ１０７ｂは、記録する複数の画像データに対して、それぞれ一意に割り当てられた識別子を含むことができる。画像データ１０７ｂは、画像データの他、オーバーレイ表示の終了指示のコマンドを発信する際にユーザによって選択されるコマンド用の画像データなど、本体ユニット１０Ｂに対する各種コマンドに対応した画像データをそれぞれ含むことができる。
【００３５】
ストレージ１０７は、上記のプログラム及びデータの他、操作部１０Ａの動作に関する各種設定の情報などを記憶できる。
【００３６】
コントローラ１０９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０９は、電子機器１の動作を統括的に制御して各種の機能を実現する。
【００３７】
コントローラ１０９は、制御プログラム１０７ａを実行することにより、操作部１０Ａの動作に関する各種制御を実現できる。例えば、コントローラ１０９は、充電モジュール１０１との間で非接触充電の処理を実行できる。例えば、コントローラ１０９は、コミュニケーションツールで使用する画像をタッチスクリーンディスプレイ１０３に表示できる。例えば、コントローラ１０９は、タッチスクリーンディスプレイ１０３を介して判別したジェスチャに応じて、タッチスクリーンディスプレイ１０３に表示されている情報を変更する等の各種制御を実行できる。各種制御は、タッチスクリーンディスプレイ１０３を介して、タッチスクリーンディスプレイ１０３に表示されている画像データの切換指示、選択要求、及び送信指示などをユーザから受け付けることを含む。例えば、コントローラ１０９は、タッチスクリーンディスプレイ１０３上で選択された画像データに対応する情報の送信指示を発信できる。コントローラ１０９は、タッチスクリーンディスプレイ１０３上で選択された画像データを表示するための画像データ１０７ｂおよび当該画像データ１０７ｂの送信指示を発信してもよい。例えば、コントローラ１０９は、オーバーレイ表示の終了指示に対応したコマンドを送信するための画像データを発信してもよい。
【００３８】
操作部１０Ａは、照度を検出する照度センサを備えてもよい。照度は、照度センサ４の測定面の単位面積に入射する光束の値である。照度センサにより検出される照度は、例えば、タッチスクリーンディスプレイ１０３の輝度の調整に用いられる。操作部１０Ａは、近隣の物体の存在を非接触で検出する近接センサを備えてもよい。近接センサは、赤外線を照射する発光素子と、発光素子から照射された赤外線の反射光を受光する受光素子を有する。照度センサ及び近接センサは、１つのセンサとして構成されていてもよい。
【００３９】
電子機器１０の本体ユニット１０Ｂは、コネクタ１１１と、ボタン１１３と、送電モジュール１１５と、通信ユニット１１７と、カメラ１１９と、発光部１２１と、スピーカ１２３と、放送信号処理モジュール１２５と、ストレージ１２７と、コントローラ１２９とを含む。
【００４０】
コネクタ１１１は、他の装置が接続される端子である。コネクタ１１１は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｉｆｉｎｉｔｉｏｎ  Ｌｉｎｋ）、ライトピーク（Ｌｉｇｈｔ  Ｐｅａｋ）、サンダーボルト（登録商標）（Ｔｈｕｎｄｅｒｂｏｌｔ）、ＬＡＮコネクタ（Ｌｏｃａｌ  Ａｒｅａ  Ｎｅｔｗｏｒｋ  ｃｏｎｎｅｃｔｏｒ）、イヤホンマイクコネクタのような汎用的な端子であってもよい。コネクタ１１１は、Ｄｏｃｋコネクタのような専用に設計された端子でもよい。コネクタ１１１に接続される装置は、例えば、飛行体、充電器、外部ストレージ、スピーカ、通信装置、及び情報処理装置を含むが、これらに限定されない。実施形態において、本体ユニット１０Ｂは、コネクタ１１１を介して、テレビジョン装置２０と接続できる。
【００４１】
ボタン１１３は、ユーザからの操作入力を受け付ける。ボタン１１３の数は、任意の数であってよい。コントローラ１２９はボタン１１３と協働することによってボタン１１３に対する操作を検出する。ボタン１１３に対する操作は、例えば、クリック、ダブルクリック、トリプルクリック、プッシュ、及びマルチプッシュを含むが、これらに限定されない。ボタン１１３は、例えばメニューボタン、パワーオンボタン、パワーオフボタン（電源ボタン）、リセットボタンなどの各種機能が割り当てられてよい。
【００４２】
送電モジュール１１５は、操作部１０Ａとの間で実行される非接触充電により、外部電源（図示せず）からの電力を操作部１０Ａに供給できる。非接触充電の方式は、電磁誘導式、電波受信方式、共鳴方式などの任意の方式でよい。
【００４３】
通信ユニット１１７は、無線により通信する。通信ユニット１１７によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。
【００４４】
通信ユニット１１７によってサポートされる近距離無線の通信規格としては、例えば、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（登録商標）（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。通信ユニット１１７は、上述した通信規格の１つ又は複数をサポートしていてもよい。
【００４５】
実施形態において、通信ユニット１１７は、操作部１０Ａから発信される信号を受信可能な近距離無線の通信規格をサポートできる。通信ユニット１１７は、「通信部」の一例である。
【００４６】
カメラ１１９は、画像を撮影する。カメラ１１９は、広角レンズを搭載できる。カメラ１１９は、電子機器１０から所定距離範囲内に存在する物体の画像を撮影できる。物体の画像は、人の画像、人の顔の画像、人の虹彩の画像を含む。カメラ１１９は、画像撮影の際に、撮影方向に合わせて赤外線を照射する機能部を備えてよい。
【００４７】
発光部１２１は、コントローラ１２９からの制御信号に従って発光する。発光部１２１は、半導体レーザーあるいはＬＥＤ（Ｌｉｇｈｔ  Ｅｍｉｔｔｉｎｇ  Ｄｉｏｄｅ）などの発光素子を備えてよい。
【００４８】
スピーカ１２３は、コントローラ１２９から送信される音信号を音として出力する。
【００４９】
放送信号処理モジュール１２５は、テレビジョン信号を受信し、受信したテレビジョン信号を処理して、コントローラ１２９に送出する。放送信号処理モジュール１２５は、テレビジョン信号を処理するチューナ、コンバーター、シグナルプロセッサなど、テレビジョン信号を映像として出力するために必要な機能部を有する。
【００５０】
ストレージ１２７は、プログラム及びデータを記憶する。ストレージ１２７は、コントローラ１２９の処理結果を一時的に記憶する作業領域として利用されてもよい。ストレージ１２７は、半導体記憶媒体、及び磁気記憶媒体等の任意の非一過的（ｎｏｎ−ｔｒａｎｓｉｔｏｒｙ）な記憶媒体を含んでよい。ストレージ１２７は、複数の種類の記憶媒体を含んでよい。ストレージ１２７は、メモリカード、光ディスク、又は光磁気ディスク等の記憶媒体と、記憶媒体の読み取り装置との組み合わせを含んでよい。ストレージ１２７は、ＲＡＭ（Ｒａｎｄｏｍ  Ａｃｃｅｓｓ  Ｍｅｍｏｒｙ）等の一時的な記憶領域として利用される記憶デバイスを含んでよい。
【００５１】
ストレージ１２７に記憶されるプログラムには、フォアグランド又はバックグランドで実行されるアプリケーションと、アプリケーションの動作を支援する支援プログラム（図示略）とが含まれる。支援プログラムには、例えば、ＯＳ（Ｏｐｅｒａｔｉｎｇ  Ｓｙｓｔｅｍ）が含まれる。プログラムは、通信ユニット１１７による無線通信又は非一過的な記憶媒体を介してストレージ１２７にインストールされてもよい。
【００５２】
ストレージ１２７は、制御プログラム１２７ａ、家族アプリケーション１２７ｂ、放送信号データ１２７ｃ、カメラ画像データ１２７ｄ、及びアプリケーションデータ１２７ｅなどを記憶できる。
【００５３】
制御プログラム１２７ａは、本体ユニット１０Ｂの各種動作に関する処理を実現するための機能をそれぞれ提供できる。制御プログラム１２７ａが提供する機能は、コネクタ１１１を介して検出される外部機器との接続に応じて各種制御を実行する機能を含む。制御プログラム１２７ａが提供する機能は、コネクタ１１１を介して接続される外部機器との間の通信を制御する機能を含む。制御プログラム１２７ａが提供する機能は、ボタン１１３に対する操作に応じて、本体ユニット１０Ｂの各種動作を制御するための機能を含む。制御プログラム１２７ａが提供する機能は、送電モジュール１１５との間で非接触充電の処理を実行するための機能を含む。制御プログラム１２７ａが提供する機能は、通信ユニット１１７を介して通信を制御するための機能を含む。制御プログラム１２７ａが提供する機能は、カメラ１１９による画像の撮影を制御するための機能を含む。制御プログラム１２７ａが提供する機能は、発光部１２１の発光を制御するための機能を含む。制御プログラム１２７ａが提供する機能は、スピーカ１２３からの音の出力を制御するための機能を含む。
【００５４】
実施形態において、制御プログラム１２７ａは、通信ユニット１１７が、携帯端末３０Ａ及び３０Ｂが自機に向けて送信した第１データを受信すると、当該第１データに基づくテキスト情報を、テレビジョン装置２０に表示される映像にオーバーレイして表示させる機能を提供できる。例えば、制御プログラム１２７ａが提供する機能は、携帯端末３０Ａ及び３０Ｂの少なくとも一方から第１データとしてメッセージを受信すると、当該メッセージの内容を示すテキスト情報を、映像にオーバーレイして表示させる処理を実現する。
【００５５】
実施形態において、制御プログラム１２７ａは、携帯端末３０Ａ及び３０Ｂの少なくとも一方が所定の条件を満たすと、該当する携帯端末３０Ａ及び３０Ｂの少なくとも一方から第１データを受信し、第１データに基づくテキスト情報を、映像にオーバーレイして表示させるための機能を提供できる。例えば、制御プログラム１２７ａが提供する機能は、携帯端末３０Ａ及び３０Ｂの少なくとも一方が所定の位置から離れるかまたは所定の位置に近づくと、該当する携帯端末３０Ａ及び３０Ｂの少なくとも一方からその旨を示す第１データを受信し、第１データに基づくテキスト情報を、映像にオーバーレイして表示させる処理を実現する。上述の他、所定の条件は、携帯端末３０Ａ及び３０Ｂの少なくとも一方が所定のＷｉ−Ｆｉ（登録商標）に接続する、自家用車で利用される特定のＢｌｕｅｔｏｏｔｈ（登録商標）機器に接続する、公共交通機関で乗車運賃の決済が実行されることなどを含む。
【００５６】
実施形態において、制御プログラム１２７ａは、携帯端末３０Ａ及び３０Ｂの少なくとも一方から第１データを受信すると、カメラ１１９の撮像画像に基づいて自機から所定の距離または所定の範囲内にユーザが存在するか否かを判定し、自機から所定の距離または所定の範囲内に人が存在すると判定すると、第１データに基づくテキスト情報を映像にオーバーレイ表示させるための機能を提供できる。制御プログラム１２７ａは、カメラ１１９の撮像画像を、自機から所定の距離または所定の範囲内に人が存在するかの判定処理に用いるだけでなく、携帯端末３０Ａ及び３０Ｂに対して送信してもよい。
【００５７】
実施形態において、制御プログラム１２７ａは、所定の条件が満たされると、テキスト情報が表示される映像上の領域よりも小さな映像上の領域に、テキスト情報の存在を示す情報をオーバーレイして表示させるための機能を提供できる。制御プログラム１２７ａは、「オーバーレイ表示から一定時間が経過する」、「オーバーレイ表示が行われる通知領域に対するユーザの視線検出時間が条件を満足する」、「オーバーレイ表示の終了操作が行われる」という３つの条件のうち、少なくとも１つを満足する場合、所定の条件が満たされたものと判定できる。オーバーレイ表示の終了操作は、操作部１０Ａを用いて実行される。例えば、制御プログラム１２７ａは、オーバーレイ表示の終了操作を指示するコマンドに対応した画像データを操作部１０Ａから受信したとき、あるいは携帯端末３０Ａ及び３０Ｂからのメッセージに応答するための画像データに対応する情報などの送信指示を操作部１０Ａから受信したときに、オーバーレイ表示の終了操作があったものと判定できる。例えば、制御プログラム１２７ａは、視線検出時間が一定時間（閾値）を超える場合、オーバーレイ表示が行われる通知領域に対するユーザの視線検出時間が条件を満足するものと判定できる。
【００５８】
実施形態において、制御プログラム１２７ａは、所定の条件が満たされると、映像にオーバーレイ表示されたテキスト情報を非表示にするための機能を提供できる。制御プログラム１２７ａは、「オーバーレイ表示から一定時間が経過すること」、「オーバーレイ表示が行われる通知領域に対するユーザの視線検出時間が条件を満足すること」、「オーバーレイ表示の終了操作が行わること」の３つの条件のうち、少なくとも１つを満足する場合、所定の条件が満たされたものと判定できる。オーバーレイ表示の終了操作は、操作部１０Ａを用いて実行される。例えば、制御プログラム１２７ａは、オーバーレイ表示の終了操作を指示するコマンド画像を操作部１０Ａから受信したとき、あるいは携帯端末３０Ａ及び３０Ｂからのメッセージに応答するための画像データに対応する情報などの送信指示を操作部１０Ａから受信したときに、オーバーレイ表示の終了操作があったものと判定できる。例えば、制御プログラム１２７ａは、視線検出時間が一定時間（閾値）を超える場合、オーバーレイ表示が行われる通知領域に対するユーザの視線検出時間が条件を満足するものと判定できる。
【００５９】
実施形態において、制御プログラム１２７ａは、電子機器１０のユーザの視線方向及びテレビジョン装置２０に対する視線位置を検出するための機能を提供できる。具体的には、制御プログラム１２７ａは、ユーザの画像を取得する際に、カメラ１１９から赤外線を照射させる。制御プログラム１２７ａは、ユーザの画像（カメラ画像データ１２７ｄ）から、瞳孔の位置と赤外線の角膜反射の位置をそれぞれ特定する。制御プログラム１２７ａは、瞳孔の位置と赤外線の角膜反射の位置の位置関係に基づいて、ユーザの視線の方向を特定する。制御プログラム１２７ａは、瞳孔の位置が角膜反射の位置よりも目尻側にあれば、視線の方向は目尻側であると判定し、瞳孔の位置が角膜反射の位置よりも目頭側にあれば、視線の方向は目頭側であると判定する。制御プログラム１２７ａは、例えば、虹彩の大きさに基づいて、ユーザの眼球とテレビジョン装置２０の表示面との距離を算出する。制御プログラム１２７ａは、ユーザの視線の方向と、ユーザの眼球とテレビジョン装置２０の表示面との距離とに基づいて、ユーザの眼球内にある瞳孔の中心位置から、瞳孔を起点とする視線がテレビジョン装置２０の表示面と交差するときのテレビジョン装置２０の表示面上の位置である視線位置を検出する。そして、制御プログラム１２７ａは、上記視線位置の検出を再帰的に実行することにより、利用者の視線の移動を検出することもできる。
【００６０】
また、制御プログラム１２７ａは、ユーザの画像について画像認識処理を実行することにより、上記視線位置を検出するようにしてもよい。例えば、制御プログラム１２７ａは、ユーザの画像から、ユーザの眼球を含む所定の領域を抽出し、目頭と虹彩との位置関係に基づいて視線方向を特定する。そして、制御プログラム１２７ａは、特定した視線方向と、ユーザの眼球からテレビジョン装置２０の表示面までの距離とに基づいて、上記視線位置を検出する。あるいは、制御プログラム１２７ａは、ユーザがテレビジョン装置２０の表示面上の表示領域各所を閲覧しているときの複数の眼球の画像を参照画像としてそれぞれ蓄積しておく。そして、制御プログラム１２７ａは、参照画像と、判定対象として取得されるユーザの眼球の画像とを照合することにより、上記視線位置を検出する。
【００６１】
実施形態において、制御プログラム１２７ａは、操作部１０Ａが操作されると、当該操作に対応する第２データを受信し、当該第２データを受信すると、当該第２データまたは当該第２データに対応するデータを携帯端末３０Ａ及び３０Ｂに送信するとともに、当該第２データに基づく情報を映像にオーバーレイして表示させるための機能を提供できる。制御プログラム１２７ａが提供する機能は、例えば、操作部１０Ａから画像送信指示を受信すると、画像送信指示に含まれる識別子に基づいて、後述するアプリケーションデータ１２７ｅから画像データを取得し、取得した画像データを携帯端末３０Ａ及び３０Ｂに送信するとともに、当該画像送信指示に基づく情報、すなわち取得した画像データに基づく情報を映像にオーバーレイして表示させる処理を実現できる。当該画像データに基づいて映像にオーバーレイされる情報は、画像送信指示が送られた時に操作部１０Ａのタッチスクリーンディスプレイ１０３上に表示されている画像と同一であってもよいし、異なってもよい。また、制御プログラム１２７ａが提供する機能は、例えば、操作部１０Ａから画像データおよび当該画像データの送信指示を受信すると、当該画像データを携帯端末３０Ａ及び３０Ｂに送信するとともに、当該画像データに基づく情報を映像にオーバーレイして表示させる処理を実現できる。
【００６２】
家族アプリケーション１２７ｂは、携帯端末３０Ａ及び３０Ｂとの間で、種々の情報のやり取りを行うことができるコミュニケーションツールとしての機能を提供できる。携帯端末３０Ａ及び３０Ｂには、家族アプリケーション１２７ｂに対応するアプリケーションが実装される。
【００６３】
放送信号データ１２７ｃは、放送信号処理モジュール１２５により取得され、処理が行われたテレビジョン信号のデータである。
【００６４】
カメラ画像データ１２７ｄは、カメラ１１９により撮影される撮影画像のデータである。
【００６５】
アプリケーションデータ１２７ｅは、上記家族アプリケーション１２７ｂの処理に利用されるデータである。アプリケーションデータ１２７ｅは、例えば、コミュニケーション用の複数の画像データで構成できる。画像データは、文字列及び文字列を含むイラストなどで構成できる。画像データのそれぞれは、操作部１０Ａの画像データ１０７ｂに含まれる画像データのいずれかと重複することなく一対一で対応するように、画像データ１０７ｂに含まれる画像データに一意に割り当てられている識別子と同一の識別子が割り当てられる。
【００６６】
ストレージ１２７は、上記のプログラム及びデータの他、電子機器１０の動作に関する各種設定の情報、及び制御プログラム１２７ａが実行する各種処理に用いるデータなどを記憶できる。
【００６７】
電子機器１０は、通信ユニット１１７を介してクラウドストレージと連携し、当該クラウドストレージが記憶するファイル及びデータにアクセスしてもよい。クラウドストレージは、ストレージ１２７に記憶されるプログラム及びデータの一部又は全部を記憶してもよい。
【００６８】
コントローラ１２９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１２９は、電子機器１０の動作を統括的に制御して各種の機能を実現する。
【００６９】
具体的には、コントローラ１２９は、ストレージ１２７に記憶されているデータを必要に応じて参照しつつ、ストレージ１２７に記憶されているプログラムに含まれる命令を実行する。そして、コントローラ１２９は、データ及び命令に応じて機能部を制御し、それによって各種機能を実現する。機能部は、例えば、送電モジュール１１５、通信ユニット１１７、カメラ１１９、発光部１２１、スピーカ１２３、および放送信号処理モジュール１２５などを含むが、これらに限定されない。コントローラ１０は、検出部の検出結果に応じて、制御を変更することがある。検出部は、例えば、コネクタ１１１、及びカメラ１１９などを含むが、これらに限定されない。
【００７０】
コントローラ１２９は、制御プログラム１２７ａを実行することにより、本体ユニット１０Ｂの動作に関する各種制御を実現できる。コントローラ１２９は、例えば、コネクタ１１１を介して検出される外部機器の接続に応じて各種制御を実行できる。コントローラ１２９は、例えば、コネクタ１１１を介して接続される外部機器との間の通信を制御できる。コントローラ１２９は、例えば、ボタン１１３の操作に応じて、本体ユニット１０Ｂの各種制御を実行できる。コントローラ１２９は、例えば、送電モジュール１１５との間で非接触充電の処理を実行できる。コントローラ１２９は、例えば、通信ユニット１１７を介して通信を制御できる。コントローラ１２９は、例えば、カメラ１１９による画像の撮影を制御できる。コントローラ１２９は、例えば、発光部１２１の発光を制御できる。コントローラ１２９は、例えば、スピーカ１２３からの音の出力を制御できる。
【００７１】
コントローラ１２９は、上記各種制御の他、制御プログラム１２７ａを実行することにより、実施形態に係る特有の処理を実現できる。
【００７２】
すなわち、コントローラ１２９は、通信ユニット１１７が、携帯端末３０Ａ及び３０Ｂが自機に向けて送信した第１データを受信すると、当該第１データに基づくテキスト情報を、テレビジョン装置２０に表示される映像にオーバーレイして表示させる処理を実現できる。具体的には、コントローラ１２９は、映像を表示するための画像データに対して、第１データに対応するテキスト情報を表示するためのテキストデータまたは画像データを合成する処理を実行できる。合成処理は、ノンインターレース方式において、伝送されるフレーム毎に実行されてよい。合成処理は、インターレース方式において、伝送されるフィールド毎に実行されてよい。
【００７３】
また、コントローラ１２９は、携帯端末３０Ａ及び３０Ｂの少なくとも一方が所定の条件を満たすと、該当する携帯端末３０Ａ及び３０Ｂの少なくとも一方から第１データを受信し、第１データに基づくテキスト情報を、映像にオーバーレイして表示させる処理を実現できる。例えば、コントローラ１２９は、携帯端末３０Ａ及び３０Ｂの少なくとも一方が所定の位置から離れるかまたは所定の位置に近づくと、該当する携帯端末３０Ａ及び３０Ｂの少なくとも一方からその旨を示す第１データを受信し、第１データに基づくテキスト情報を、映像にオーバーレイして表示させる処理を実行できる。
【００７４】
また、コントローラ１２９は、携帯端末３０Ａ及び３０Ｂの少なくとも一方から第１データを受信すると、カメラ１１９の撮像画像に基づいて自機から所定の距離または所定の範囲内にユーザが存在するか否かを判定し、自機から所定の距離または所定の範囲内に人が存在すると判定すると、第１データに基づくテキスト情報を映像にオーバーレイ表示させる処理を実現できる。コントローラ１２９は、例えば、パターンマッチング、ニューラルネットワーク、ディープラーニングなどの各種手法を用いた画像認識処理により、所定の距離または所定の範囲内に人がいるかどうかを判定できる。
【００７５】
また、コントローラ１２９は、所定の条件が満たされると、テキスト情報が表示される映像上の領域よりも小さな映像上の領域に、テキスト情報の存在を示す情報をオーバーレイして表示させる処理を実現できる。コントローラ１２９は、「オーバーレイ表示から一定時間が経過する」、「オーバーレイ表示が行われる通知領域に対するユーザの視線検出時間が条件を満足する」、「オーバーレイ表示の終了操作が行われる」という３つの条件のうち、少なくとも１つを満足する場合、所定の条件が満たされたものと判定できる。
【００７６】
また、コントローラ１２９は、所定の条件が満たされると、映像にオーバーレイ表示されたテキスト情報を非表示にする処理を実現できる。コントローラ１２９は、「オーバーレイ表示から一定時間が経過する」、「オーバーレイ表示が行われる通知領域に対するユーザの視線検出時間が条件を満足する」、「オーバーレイ表示の終了操作が行われる」という３つの条件のうち、少なくとも１つを満足する場合、所定の条件が満たされたものと判定できる。
【００７７】
また、コントローラ１２９は、操作部１０Ａが操作されると、当該操作に対応する第２データを受信し、当該第２データを受信すると、当該第２データを携帯端末３０Ａ及び３０Ｂに送信するとともに、当該第２データに基づく情報を映像にオーバーレイして表示させる処理を実現できる。コントローラ１２９は、操作部１０Ａから、操作部１０Ａにおいて選択された画像の送信指示を受け付けると、家族アプリケーション１２７ｂを通じて、送信指示に含まれる画像の識別子に基づいて、対応する画像データをアプリケーションデータ１２７ｅから読み込み、携帯端末３０Ａ及び３０Ｂに送信するとともに、映像にオーバーレイさせる。
【００７８】
また、コントローラ１２９は、電子機器１０のユーザの視線方向及びテレビジョン装置２０に対する視線位置を検出する処理を実現できる。
【００７９】
図５から図１０を用いて、実施形態に係る処理を説明する。図５及び図６は、実施形態に係る電子機器及びテレビジョン装置の処理の流れを示す図である。図７は、実施形態に係る電子機器の処理の流れを示す図である。図８は、図５及び図６に対応する処理の概要を示す図である。図９は、図５に対応する処理の概要を示す図である。図１０は、図７に示す処理の概要を示す図である。図５から図７に示す処理は、コントローラ１２９が制御プログラム１２７ａを実行することなどによって実現される。また、図５から図７に示す処理は、電子機器１０において家族アプリケーション１２７ｂが実行中、かつテレビジョン装置２０に映像が表示されている状態であることを前提とする。
【００８０】
図５は、携帯端末３０Ａ及び３０Ｂのいずれか一方からデータを受信した場合に、電子機器１０の本体ユニット１０Ｂ及びテレビジョン装置２０において実行される処理の例を示している。
【００８１】
図５に示すように、本体ユニット１０Ｂは、携帯端末３０Ａ及び３０Ｂのいずれか一方（以下、「携帯端末」と記載する）からデータを受信すると（ステップＳ１０１）、所定距離範囲内に存在するユーザの検出を試みる（ステップＳ１０２）。
【００８２】
ステップＳ１０２の処理の結果、本体ユニット１０Ｂは、所定距離範囲内にユーザが存在する場合（ステップＳ１０２，Ｙｅｓ）、携帯端末から受信したデータ及びテレビジョン信号データに基づいてオーバーレイデータを生成する（ステップＳ１０３）。
【００８３】
続いて、本体ユニット１０Ｂは、オーバーレイ表示要求をテレビジョン装置２０に送信して（ステップＳ１０４）、処理を終了する。オーバーレイ表示要求は、オーバーレイデータを含む。
【００８４】
テレビジョン装置２０は、本体ユニット１０Ｂからオーバーレイ表示要求を受信すると（ステップＳ１０５）、オーバーレイ表示要求に含まれるオーバーレイデータに基づいて、オーバーレイ表示を実行し（ステップＳ１０６）、処理を終了する。
【００８５】
本体ユニット１０Ｂは、上記ステップＳ１０２の処理の結果、所定距離範囲内にユーザが存在しない場合（ステップＳ１０２，Ｎｏ）、処理を終了する。
【００８６】
図６は、操作部１０Ａからデータを受信した場合に、電子機器１０の本体ユニット１０Ｂ及びテレビジョン装置２０において実行される処理の例を示している。
【００８７】
図６に示すように、本体ユニット１０Ｂは、操作部１０Ａから画像データ送信指示を受信すると（ステップＳ２０１）、送信指示に対応する画像データをアプリケーションデータ１２７ｅから取得する（ステップＳ２０２）。
【００８８】
本体ユニット１０Ｂは、画像データ及びテレビジョン信号に基づいてオーバーレイデータを生成する（ステップＳ２０３）。
【００８９】
続いて、本体ユニット１０Ｂは、オーバーレイ表示要求をテレビジョン装置２０に送信するとともに（ステップＳ２０４）、携帯端末に画像データを送信して（ステップＳ２０５）、処理を終了する。オーバーレイ表示要求は、オーバーレイデータを含む。
【００９０】
テレビジョン装置２０は、本体ユニット１０Ｂからオーバーレイ表示要求を受信すると（ステップＳ２０６）、オーバーレイ表示要求に含まれるオーバーレイデータに基づいて、オーバーレイ表示を実行し（ステップＳ２０７）、処理を終了する。
【００９１】
図７は、本体ユニット１０Ｂにおいてオーバーレイ表示を終了するときの処理の流れを示している。
【００９２】
図７に示すように、本体ユニット１０Ｂは、オーバーレイ表示から一定時間が経過したかを判定する（ステップＳ３０１）。
【００９３】
本体ユニット１０Ｂは、判定の結果、オーバーレイ表示から一定時間が経過していない場合（ステップＳ３０１，Ｎｏ）、通知領域に対する視線検出時間が条件を満足しているかを判定する（ステップＳ３０２）。
【００９４】
本体ユニット１０Ｂは、判定の結果、通知領域に対する視線検出時間が条件を満足していない場合（ステップＳ３０２，Ｎｏ）、オーバーレイ表示の終了操作があったかを判定する（ステップＳ３０３）。
【００９５】
本体ユニット１０Ｂは、判定の結果、オーバーレイ表示の終了操作がない場合（ステップＳ３０３，Ｎｏ）、上記ステップＳ３０１の判定に戻る。これとは反対に、本体ユニット１０Ｂは、判定の結果、オーバーレイ表示の終了操作があった場合（ステップＳ３０３，Ｙｅｓ）、オーバーレイ表示の終了指示をテレビジョン装置２０に送信して（ステップＳ３０４）、図７に示す処理を終了する。
【００９６】
上記ステップＳ３０２において、本体ユニット１０Ｂは、判定の結果、通知領域に対する視線検出時間が条件を満足している場合（ステップＳ３０２，Ｙｅｓ）、上記ステップＳ３０４の処理手順に移る。
【００９７】
上記ステップＳ３０１において、本体ユニット１０Ｂは、判定の結果、オーバーレイ表示から一定時間が経過している場合（ステップＳ３０１，Ｙｅｓ）、上記ステップＳ３０４の処理手順に移る。
【００９８】
例えば、図８に示す例は、携帯端末から受信したデータｍ１及びデータｍ２、並びに操作部１０Ａの操作に応じて本体ユニット１０Ｂにより取得されたデータｍ３がテレビジョン装置２０の表示面２１に映し出されているテレビ映像にオーバーレイ表示される様子を示している。データｍ１及びデータｍ２は、家族アプリケーション１２７ｂを通じて携帯端末から送信されたテキスト情報である。データｍ３は、操作部１０Ａを用いて、データｍ１に対する返事としてユーザにより選択され、発信された画像データである。携帯端末から送信されたテキスト情報に対応するメッセージは通知領域Ａ１内に表示される。通知領域Ａ１は、テレビ映像の一部を覆うようにオーバーレイされる。
【００９９】
例えば、図９に示す例は、携帯端末から受信したデータｍ４がテレビ映像２１にオーバーレイ表示される様子を示している。データｍ４は、携帯端末が所定の位置から離れたときに携帯端末のＡＩ（Ａｒｔｉｆｉｃｉａｌ  ｉｎｔｅｌｌｉｇｅｎｃｅ）などによって自動的に送信されるデータである。携帯端末から自動的に送信されたデータに対応するメッセージが通知領域Ａ１内に表示される。通知領域Ａ１は、テレビ映像の一部を覆うようにオーバーレイされる。
【０１００】
上記図８及び図９において、テレビジョン装置２０は、携帯端末から送信されたテキスト情報及び操作部１０Ａから発信された画像データを表示する際、表示面２１に映すテレビ映像のアスペクト比を、表示面２１の面積よりも小さくなるように変更してもよい。そして、テレビジョン装置２０は、テレビ映像のアスペクト比を変更した結果、表示面２１においてテレビ映像が表示されなくなる領域に、携帯端末から送信されたテキスト情報及び操作部１０Ａから発信された画像データを表示してもよい。
【０１０１】
例えば、図１０に示す例は、オーバーレイ表示が終了されるときのテレビジョン装置２０の表示例を示している。表示面２１から図８及び図９に示す通知領域Ａ１が消去され、代わりに画像Ｇ１が表示される。画像Ｇ１は、家族アプリケーション１２７ｂを通じて実行される電子機器１０と携帯端末との間のコミュニケーションが有効な状態であることを示している。なお、オーバーレイ表示を終了する際、画像Ｇ１を表示せずに、テレビ映像のみをテレビジョン装置２０に表示してもよい。
【０１０２】
上述してきたように、実施形態に係る電子機器１０は、テレビジョン装置２０に表示されるテレビ映像上に、家族アプリケーション１２７ｂを通じて電子機器１０と携帯端末との間で実行されるコミュニケーションなどのやり取りの情報などをオーバーレイ表示する。このため、実施形態によれば、ユーザ間でやり取りされる情報をできるだけ簡単にユーザに認知させることができる。
【０１０３】
上記の実施形態において、電子機器１０により検出されるユーザの視点位置に応じて、テレビジョン装置２０に表示される映像上にテキスト情報をオーバーレイ表示させる位置を決定してもよい。以下、この場合の実施形態について説明する。
【０１０４】
図１１は、実施形態に係る電子機器の機能構成の他の例を示すブロック図である。図１１に示す電子機器１０は、基本的には、図４に示す電子機器１０と同様の構成を有するが、以下に説明する点が相違する。
【０１０５】
すなわち、制御プログラム１２７ａは、カメラ１１９の撮像画像に基づいて、自機から所定の距離または所定の範囲内に存在するユーザの数を検出し、ユーザの数が１人である場合に、撮像画像に基づいて当該ユーザの視線方向を検出し、視線方向とストレージ１２７に記憶された位置関係データ１２７ｆとに基づいて、テレビジョン装置２０の表示領域上のユーザの視点位置を検出し、視点位置に応じて、映像上におけるテキスト情報をオーバーレイ表示させる位置を変更するための機能を提供できる。
【０１０６】
ストレージ１２７は、制御プログラム１２７ａにより提供される機能に応じて、位置関係データ１２７ｆをさらに記憶できる。位置関係データ１２７ｆは、電子機器１０とテレビジョン装置２０との間の位置関係を示すデータである。位置関係データ１２７ｆは、例えば、電子機器１０とテレビジョン装置２０とが接続された時に、カメラ１１９により取得されるテレビジョン装置２０の画像の画像認識結果、及びケーブル１１の長さのデータなどに基づいて設定できる。
【０１０７】
また、コントローラ１２９は、カメラ１１９の撮像画像に基づいて、自機から所定の距離または所定の範囲内に存在するユーザの数を検出し、ユーザの数が１人である場合に、撮像画像に基づいて当該ユーザの視線方向を検出し、視線方向と位置関係データ１２７ｆとに基づいて、テレビジョン装置２０の表示領域上のユーザの視点位置を検出し、視点位置に応じて、映像上におけるテキスト情報をオーバーレイ表示させる位置を変更する処理を実現できる。
【０１０８】
図１２は、実施形態に係る電子機器及びテレビジョン装置により実行される処理の他の例を示す図である。図１２に示す処理は、コントローラ１２９が制御プログラム１２７ａを実行することなどによって実現される。また、図１２に示す処理は、電子機器１０において家族アプリケーション１２７ｂが実行中、かつテレビジョン装置２０に映像が表示されている状態であることを前提とする。
【０１０９】
図１２に示すように、本体ユニット１０Ｂは、携帯端末からデータを受信すると（ステップＳ４０１）、所定距離範囲内に存在するユーザの検出を試みる（ステップＳ４０２）。
【０１１０】
ステップＳ４０２の処理の結果、本体ユニット１０Ｂは、所定距離範囲内にユーザが存在する場合（ステップＳ４０２，Ｙｅｓ）、存在するユーザの数が単数（１人）であるかを判定する（ステップＳ４０３）。
【０１１１】
本体ユニット１０Ｂは、判定の結果、ユーザの数が単数である場合（ステップＳ４０３，Ｙｅｓ）、カメラ画像データ１２７ｄを用いて、ユーザの視線方向を検出する（ステップＳ４０４）。
【０１１２】
本体ユニット１０Ｂは、ユーザの視線方向に基づいて、テレビジョン装置２０におけるユーザの視点位置を特定する（ステップＳ４０５）。
【０１１３】
本体ユニット１０Ｂは、オーバーレイデータを生成して（ステップＳ４０６）、オーバーレイ表示要求をテレビジョン装置２０に送信し（ステップＳ４０７）、処理を終了する。オーバーレイ表示要求は、オーバーレイデータ及びオーバーレイデータの表示位置に関するデータを含む。
【０１１４】
テレビジョン装置２０は、本体ユニット１０Ｂからオーバーレイ表示要求を受信すると（ステップＳ４０８）、オーバーレイ表示要求に含まれるオーバーレイデータ及び表示位置に基づいて、オーバーレイ表示を実行し（ステップＳ４０９）、処理を終了する。
【０１１５】
図１３から図１６は、実施形態に係る通知領域の表示位置の他の例を示す図である。図８及び図９に示す例とは異なり、通知領域Ａ１は、テレビジョン装置２０の表示面２１を構成する領域２１ａから領域２１ｄのいずれかとオーバーレイされてよい。
【０１１６】
図１７は、実施形態に係る表示方法の他の例を示す図である。図１７に示すように、テレビジョン装置２０の表示面に通知領域Ａ１を設けることなく、例えば、画像Ｇ１からの吹き出しにより表示してもよい。
【０１１７】
上記の実施形態では、電子機器１０がテレビジョン信号と、家族アプリケーション１２７ｂを通じて電子機器１０と携帯端末との間で実行されるコミュニケーションなどのやり取りの情報などをオーバーレイ表示する例を説明したが、テレビジョン装置２０においてオーバーレイデータを生成してもよい。以下、この場合の実施形態を説明する。
【０１１８】
図１８は、実施形態に係るテレビジョン装置の機能構成の一例を示すブロック図である。図１８に示すように、テレビジョン装置２０は、チューナ２０１と、復調復号部２０２と、シグナルプロセッサ２０３と、音声処理部２０４と、映像処理部２０５と、スピーカ２０６と、表示部２０７と、操作部２０８と、受信部２０９と、通信ユニット２１０と、カメラ２１１と、ストレージ２１２と、コントローラ２１３とを有する。
【０１１９】
チューナ２０１は、アンテナを介して受信したテレビジョン信号から所望の番組に対応するテレビジョン信号を取得できる。チューナ２１０は、取得したテレビジョン信号を復調復号部２９２に送る。
【０１２０】
復調復号部２０２は、チューナ２０１から送られてきたテレビジョン信号から、デジタル映像信号及びデジタル音声信号を復元する。復調復号部２０２は、デジタル映像信号及びデジタル音声信号をシグナルプロセッサ２０３に送る。
【０１２１】
シグナルプロセッサ２０３は、復調復号部２０２から送られてきたデジタル映像信号及びデジタル音声信号について、フィルタリング解析及びフーリエ変換などの所定の演算処理を実行する。シグナルプロセッサ２０３は、演算処理したデジタル音声信号を音声処理部２０４に送り、デジタル映像信号を映像処理部２０５及びコントローラ２１３に送る。
【０１２２】
音声処理部２０４は、シグナルプロセッサ２０３から送られてくるデジタル音声信号をスピーカ２０６から出力可能な音声信号に変換してスピーカ２０６に送る。
【０１２３】
映像処理部２０５は、シグナルプロセッサ２０３から送られてくるデジタル映像信号を表示部２０７で表示可能な映像信号に変換して表示部２０７に送る。映像処理部２０５は、後述するコントローラ２１３からオーバーレイデータを受け付けた場合、シグナルプロセッサ２０３の映像信号の代わりに、オーバーレイデータを映像信号に変換して表示部２０７に送る。
【０１２４】
スピーカ２０６は、音声処理部２０４から送られてくる音声信号を音声として出力する。
【０１２５】
表示部２０７は、映像処理部２０５から送られてくる映像信号を映像として出力する。
【０１２６】
操作部２０８は、テレビジョン装置２０の各種操作をユーザから受け付ける。
【０１２７】
受信部２０９は、テレビジョン装置２０を遠隔操作するためのテレビジョン装置２０に専用に準備されたリモートコントローラなどからの遠隔操作信号、あるいは電子機器３００からの信号を受信する。
【０１２８】
通信ユニット２１０は、無線により通信する。通信ユニット２１０は、少なくとも携帯端末３０Ａ及び３０Ｂとの間で通信を実行するために必要な無線通信規格をサポートする。
【０１２９】
カメラ２１１は、画像を撮影する。カメラ２１１は、例えば、テレビジョン装置２０から所定距離範囲内に存在する物体の画像を撮影できる。物体の画像は、人の画像、人の顔の画像、人の虹彩の画像を含む。カメラ１１９は、広角レンズを搭載できる。
【０１３０】
ストレージ２１２は、プログラム及びデータを記憶する。ストレージ２１２は、制御プログラム２１２ａ、家族アプリケーション２１２ｂ、放送信号データ２１２ｃ、カメラ画像データ２１２ｄ、アプリケーションデータ２１２ｅを記憶できる。
【０１３１】
制御プログラム２１２ａは、上述した制御プログラム１２７ａと同様の機能を提供できる。例えば、制御プログラム２１２ａが提供する機能は、携帯端末３０Ａ及び３０Ｂの少なくとも一方から第１データを受信すると、カメラ２１２の撮像画像に基づいて自機から所定の距離または所定の範囲内にユーザが存在するか否かを判定し、自機から所定の距離または所定の範囲内に人が存在すると判定すると、第１データに基づくテキスト情報を映像にオーバーレイ表示させる機能を含む。また、制御プログラム２１２ａは、電子機器３００から画像送信指示を受信すると、画像送信指示に含まれる識別子に基づいて、後述するアプリケーションデータ２１２ｅから画像データを取得し、取得した画像データを携帯端末３０Ａ及び３０Ｂに送信するとともに、当該画像送信指示に基づく情報、すなわち取得した画像データに基づく情報を映像にオーバーレイして表示させる機能を提供できる。当該画像データに基づいて映像にオーバーレイされる情報は、画像送信指示が送られた時に電子機器３００のタッチスクリーンディスプレイ１０３上に表示されている画像と同一であってもよいし、異なってもよい。また、制御プログラム２１２ａが提供する機能は、例えば、電子機器３００から画像データおよび当該画像データの送信指示を受信すると、当該画像データを携帯端末３０Ａ及び３０Ｂに送信するとともに、当該画像データに基づく情報を映像にオーバーレイして表示させる機能を含む。
【０１３２】
家族アプリケーション２１２ｂは、上述した家族アプリケーション１２７ｂと同様の機能を提供できる。放送信号データ２１２ｃは、シグナルプロセッサ２０３から送られてきたデジタル映像信号に対応する。カメラ画像データ２１２ｄは、カメラ２１２により撮影された撮影画像のデータに対応する。アプリケーションデータ２１２ｅは、家族アプリケーション２１２ｂの処理に利用されるデータである。
【０１３３】
コントローラ２１３は、制御プログラム２１２ａなどを実行することにより、オーバーレイデータを生成する処理を実現できる。コントローラ２１３は、携帯端末３０Ａ及び３０Ｂの少なくとも一方から第１データを受信すると、カメラ２１２の撮像画像に基づいて自機から所定の距離または所定の範囲内にユーザが存在するか否かを判定し、自機から所定の距離または所定の範囲内に人が存在すると判定すると、第１データに基づくテキスト情報を映像にオーバーレイ表示させる処理を実現できる。コントローラ２１３は、電子機器３００から画像送信指示を受信すると、画像送信指示に含まれる識別子に基づいて、アプリケーションデータ２１２ｅから画像データを取得し、取得した画像データを携帯端末３０Ａ及び３０Ｂに送信するとともに、当該画像送信指示に基づく情報、すなわち取得した画像データに基づく情報を映像にオーバーレイして表示させる処理を実現できる。
【０１３４】
電子機器３００は、上記の実施形態で説明した電子機器１０の操作部１０Ａに対応する機能を備える装置である。図１８に示す例において、テレビジョン装置２０が上記の実施形態で説明した本体ユニット１０Ｂに対応する機能を備えているので、電子機器３００は、例えば、上記の実施形態で説明した操作部１０Ａに対応する機能部のみを実装することにより、テレビジョン装置２０と電子機器３００との間で、上記の実施形態と同様の処理を実現できる。
【０１３５】
図１９を用いて、実施形態に係るテレビジョン装置２０の処理の一例を説明する。図１９は、実施形態に係るテレビジョン装置の処理の流れを示す図である。また、図１９に示す処理は、テレビジョン装置２０において、家族アプリケーション２１２ｂが実行中、かつ映像が表示されている状態であることを前提とする。
【０１３６】
図１９に示すように、テレビジョン装置２０は、データを受信すると（ステップＳ５０１）、画像の送信指示であるかを判定する（ステップＳ５０２）。
【０１３７】
テレビジョン装置２０は、判定の結果、画像の送信指示ではない場合（ステップＳ５０２，Ｎｏ）、すなわち、受信データが受信部２０９により受け付けられる電子機器３００からの画像送信指示信号ではなく、通信ユニット２１０で受信される携帯端末からのデータであるとき、所定距離範囲内に存在するユーザの検出を試みる（ステップＳ５０３）。
【０１３８】
ステップＳ５０３の処理の結果、テレビジョン装置２０は、所定距離範囲内にユーザが存在する場合（ステップＳ５０３，Ｙｅｓ）、携帯端末から受信したデータ、及びストレージ１２７に記憶されている放送信号データに基づいてオーバーレイデータを生成する（ステップＳ５０４）。
【０１３９】
続いて、テレビジョン装置２０は、ステップＳ５０４で生成したオーバーレイデータを用いて、オーバーレイ表示を実行し（ステップＳ５０５）、処理を終了する。
【０１４０】
上記ステップＳ５０３の処理の結果、テレビジョン装置２０は、所定距離範囲内にユーザが存在しない場合（ステップＳ５０３，Ｎｏ）、処理を終了する。
【０１４１】
上記ステップＳ５０２において、テレビジョン装置２０は、判定の結果、画像の送信指示である場合（ステップＳ５０２，Ｙｅｓ）、すなわち、受信データが受信部２０９により受け付けられる電子機器３００からの画像送信指示信号であるとき、画像送信指示に対応する画像データをアプリケーションデータ２１２ｅから取得する（ステップＳ５０６）。
【０１４２】
テレビジョン装置２０は、ステップＳ５０６で取得した画像データと、ストレージ１２７に記憶されている放送信号データ２１２ｃに基づいて、オーバーレイデータを生成する（ステップＳ５０７）。
【０１４３】
テレビジョン装置２０は、ステップＳ５０６で生成したオーバーレイデータを用いて、オーバーレイ表示を実行する（ステップＳ５０８）。
【０１４４】
そして、テレビジョン装置２０は、ステップＳ５０６で取得した画像データを携帯端末に送信し（ステップＳ５０９）、処理を終了する。
【０１４５】
上記の実施形態では、電子機器１０もしくはテレビジョン装置２０と、携帯端末３０Ａ及び３０Ｂとの間で、コミュニケーションツールを介した情報のやり取りが行われる例を説明したが、電子機器１０もしくはテレビジョン装置２０と、ＩｏＴ（Ｉｎｔｅｒｎｅｔ  ｏｆ  Ｔｈｉｎｇｓ）機器との間で、各種情報のやり取りが行われてもよい。例えば、上記の実施形態において説明した処理を、電子機器１０もしくはテレビジョン装置２０と、ＩｏＴ機器との間で実行することによって、ＩｏＴ機器の起動を通知する情報がテレビジョン装置２０に表示されたり、ＩｏＴ機器が検知する室内の温度に関する情報がテレビジョン装置２０に表示されたりしてもよい。
【０１４６】
上記の実施形態において、例えば、電子機器１０が音もしくは音声によって、テレビジョン装置２０に表示する情報を、電子機器１０のユーザに通知してもよい。
【０１４７】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【０１４８】
１  ネットワーク
１０  電子機器
１０Ａ  操作部
１０Ｂ  本体ユニット
２０  テレビジョン装置
３０Ａ  携帯端末
３０Ｂ  携帯端末
１０１  充電モジュール
１０３  タッチスクリーンディスプレイ
１０５  通信ユニット
１０７  ストレージ
１０９  コントローラ
１１１  コネクタ
１１３  ボタン
１１５  送電モジュール
１１７  通信ユニット
１１９  カメラ
１２１  発光部
１２３  スピーカ
１２５  放送信号処理モジュール
１２７  ストレージ
１２７ａ  制御プログラム
１２７ｂ  家族アプリケーション
１２７ｃ  放送信号データ
１２７ｄ  カメラ画像データ
１２７ｅ  アプリケーションデータ
１２７ｆ  位置関係データ
１２９  コントローラ
【図１】
2019126009.tif 000003
【図２】
2019126009.tif 000004
【図３】
2019126009.tif 000005
【図４】
2019126009.tif 000006
【図５】
2019126009.tif 000007
【図６】
2019126009.tif 000008
【図７】
2019126009.tif 000009
【図８】
2019126009.tif 000010
【図９】
2019126009.tif 000011
【図１０】
2019126009.tif 000012
【図１１】
2019126009.tif 000013
【図１２】
2019126009.tif 000014
【図１３】
2019126009.tif 000015
【図１４】
2019126009.tif 000016
【図１５】
2019126009.tif 000017
【図１６】
2019126009.tif 000018
【図１７】
2019126009.tif 000019
【図１８】
2019126009.tif 000020
【図１９】
2019126009.tif 000021